(57)【要約】  フィルターシステム用の濾過ヘッド（１）であって、該濾過ヘッド（１）は、ベース（２）であって、取り外し可能なフィルター要素（４）用のフィルター支持体（３）、およびフィルター支持体（３）上に配置されるフィルター要素（４）の片側から、フィルター要素（４）を通過して、ベース（２）の排水口（５）に至る流路を含む、前記ベース（２）と、漏斗（７）をベース（２）に取り外し可能に取り付けて、フィルター要素（４）の片側にサンプル流体リザーバを形成するためのホルダーデバイス（６）とを含み、ホルダーデバイス（６）は、漏斗（７）の下端を取り囲む下部周辺フランジ（７ａ）の周りに延伸するように構成されたリング形状要素（８）を含み、漏斗（７）の下部周辺フランジ（７ａ）の半径方向外向きに突出する部分（７ｂ）に選択的にバイアス力を加えて、漏斗（７）をベース（２）に押し付ける、前記フィルターシステム用の濾過ヘッド（１）。本発明の濾過ヘッドは、漏斗の下端を取り囲む下部周辺フランジと係合するリング形状要素を含むホルダーデバイスを備えたその構造により、漏斗とベースの間の液体漏れのリスクなしに段ボール製の漏斗の使用を可能にする。
2021520292.tif 000002
【特許請求の範囲】
【請求項１】
フィルターシステム用の濾過ヘッド（１）であって、
ベース（２）であって、取り外し可能なフィルター要素（４）用のフィルター支持体（３）、およびフィルター支持体（３）上に配置されるフィルター要素（４）の片側から、フィルター要素（４）を通過して、ベース（２）の排水口（５）に至る流路を含む、前記ベース（２）と、
漏斗（７）をベース（２）に取り外し可能に取り付けて、フィルター要素（４）の片側にサンプル流体リザーバを形成するためのホルダーデバイス（６）とを含み、
ホルダーデバイス（６）は、漏斗（７）の下端を取り囲む下部周辺フランジ（７ａ）の周りに延伸し、漏斗（７）の下部周辺フランジ（７ａ）の半径方向外向きに突出する部分（７ｂ）に選択的にバイアス力を加えて、漏斗（７）をベース（２）に押し付けるように構成されたリング形状要素（８）を含む、前記フィルターシステム用の濾過ヘッド（１）。
【請求項２】
ベース（２）が、膜支持体（３）の外周を取り囲む接触面（２ａ）を有し、漏斗（７ａ）の下部周辺フランジ（７ａ）との流体密接触のためにベース（２）の接触面（２ａ）に押し付けられる、請求項１に記載のフィルターシステム用の濾過ヘッド（１）。
【請求項３】
ホルダーデバイス（６）のリング形状要素（８）が、漏斗（７）の下部周辺フランジ（７ａ）の半径方向外向きに突出する部分（７ｂ）と、任意選択で、漏斗（７）の外周壁（７ｃ）の隣接部分と、選択的に係合するように構成される、請求項１または２に記載のフィルターシステム用の濾過ヘッド（１）。
【請求項４】
リング形状要素（８）が、漏斗（７）の外周壁（７ｃ）の周りに配置されるように構成されたリング、好ましくは閉リングである、請求項３に記載のフィルターシステム用の濾過ヘッド（１）。
【請求項５】
リング形状要素（８）が、漏斗（７）の外周壁（７ｃ）の周りに配置され、互いに機械的に連結されるように構成された複数のリングセグメント（８ａ）を含む、請求項３に記載のフィルターシステム用の濾過ヘッド（１）。
【請求項６】
少なくとも２つのリングセグメント（８ａ）が、ベース（２）上の離間した位置の間でリングセグメント（８ａ）を動かすように構成された平行四辺形リンク機構（９）によって、ベース（２）に機械的に連結されており、リングセグメント（８ａ）と、リングセグメント（８ａ）が下部周辺フランジ（７ａ）の周りに延伸する閉鎖位置との間に漏斗（７）を配置することを可能にし、周辺フランジ（７ａ）にバイアス力を加えて、フランジ（７ａ）をベース（２）に押し付ける、請求項５に記載のフィルターシステム用の濾過ヘッド（１）。
【請求項７】
少なくとも２つのリングセグメント（８ａ）は互いに機械的に連結されており、ベース（２）上の離間した位置と閉鎖位置との間の１回の操作移動によって移動するように構成され、周辺フランジ（７ａ）にバイアス力を加えて、フランジ（７ａ）をベース（２）に押し付ける、請求項６に記載のフィルターシステム用の濾過ヘッド（１）。
【請求項８】
ホルダーデバイス（６）が、リング形状要素（８）とベース（２）との間に係合機構（１０）を備え、漏斗（７）の下部周辺フランジ（７ａ）の半径方向外向きに突出する部分（７ｂ）上にバイアス力を選択的に加えるためのウェッジを利用する、請求項１〜７のいずれか一項に記載のフィルターシステム用の濾過ヘッド（１）。
【請求項９】
係合機構（１０）が、リング形状要素（８）およびベース（２）のいずれか１つに少なくとも１つの突起（１２）を含み、リング形状要素（８）およびベース（２）の他の１つに少なくとも１つの突起（１２）のための少なくとも１つの嵌合レセプタクル（１３）を含み、少なくとも１つの突起（１２）およびレセプタクル（１３）の相対的な回転の際に段階的に係合するように配置されている、請求項８に記載のフィルターシステム用の濾過ヘッド（１）。
【請求項１０】
突起（１２）またはレセプタクル（１３）が、レバー（１８）によってベース（２）上で枢動可能に支持されている、請求項９に記載のフィルターシステム用の濾過ヘッド（１）。
【請求項１１】
請求項１〜１０のいずれか一項に記載のフィルターシステム用の濾過ヘッド（１）と組み合わせて使用するための漏斗（７）であって、漏斗（７）は、開いた上部および開いた下部を備えたカップまたはシリンダーの形状であり、漏斗（７）は、漏斗（７）の下端を取り囲み、半径方向外向きに突出する部分（７ｂ）を有する下部周辺フランジ（７ａ）を有する、前記漏斗（７）。
【請求項１２】
漏斗（７）が、主に段ボールまたは紙から形成され、任意選択で、複合構造において他の使い捨て材料および／またはコーティングと組み合わせて形成される、請求項１１に記載の漏斗（７）。
【請求項１３】
漏斗（７）の下端を取り囲む下部周辺フランジ（７ａ）が、好ましくは弾性を有する膨らみを含む、請求項１１または１２に記載の漏斗（７）。
【発明の詳細な説明】
【技術分野】
【０００１】
本発明は、フィルターシステム、特にマニホールド膜フィルターシステム用の濾過ヘッド、および濾過ヘッドと組み合わせて使用するための漏斗に関する。
本発明は、特に食品および飲料、生物医薬品、化粧品、病院の分野に適用可能であるが、診断、ヘルスケアおよび研究、特にバイオバーデンおよび無菌試験にも適用可能である。
【背景技術】
【０００２】
水、清涼飲料、ワインなどの濾過可能なサンプルを濾過するための上記の分野でのバイオバーデンおよび無菌試験の現在の解決策は、通常、１０ｍｌから１リットルの容量で、マニホールドヘッドに膜と漏斗を配置すること、試験するサンプル量を漏斗に注ぎ、ポンプを使用してマニホールドヘッドの出口から下流の圧力を下げて濾過を実行すること、フィルターをマニホールドヘッドから取り外し、膜を取り外して寒天プレートに置き、インキュベーションとさらなるテストを行うことを含む。
【０００３】
上記の濾過方法による現在のバイオバーデン試験は、プラスチック製の一回使用の漏斗、またはステンレス鋼、プラスチック、ガラス製の再利用可能な漏斗に基づいている。濾過プロセス後の再利用可能な漏斗は除染して洗浄する必要があるが、使い捨て漏斗はゴミ箱に廃棄される。使い捨てのプラスチック漏斗では、多くの廃棄物が発生し、プラスチックの生態学的影響が大きくなる。再利用可能な漏斗の場合、各テスト後に漏斗を洗浄および除染する必要があるため、大量の水とエネルギーが消費され、洗浄残留物が処理および取り扱いに問題となる可能性がある。
【０００４】
ＷＯ２０１１／０２８７０４Ａ２は、取り外し可能なフィルター要素を支持するように設計された濾過ヘッドを備えた濾過アセンブリを開示している。濾過アセンブリは、濾過される流体を受け入れるためのサンプルリザーバと、サンプルリザーバを支持するためのベースとを含む。ベースは、フィルター要素を支持するフィルタープラットフォームとして機能する環状表面を含み、流路を介してサンプルリザーバと連絡する流体ポートを含む。フィルター要素は、流体サンプル中の目的の微生物を捕捉することができ、ベースの環状表面に隣接して配置することができる。
【０００５】
したがって、フィルター要素は、サンプルリザーバと流体ポートとの間の流路に配置される。所望のサンプル量の濾過に続いて、リザーバをベースから取り外して、環状フィルター支持面に支持された膜フィルター要素を露出させることができる。サンプルリザーバは一般に円筒形で、上端と下端が開いている。ＷＯ２０１１／０２８７０４Ａ２によれば、サンプルリザーバとベースとの間の係合は、サンプルリザーバの下端がベースの上端の内側に受け入れられるスナップフィットによって行われる。
【０００６】
ベースの下端は、その外周全体の周りに連続的に延伸する溝および半径方向外向きの突起を有する。サンプルリザーバは、その下端でその内周全体の周りに連続的に延伸する溝および半径方向内側の突起を有する。それぞれの突起は、締まりばめで、それぞれ嵌合溝にスナップフィットする。この文献においては、サンプルリザーバとベース間のスナップフィット接続の代替として、バヨネットフィット（bayonet fit）またはねじ係合についても説明している。説明されているさらなるオプションは、サンプルリザーバとベースとの間の接合部の周りのシュリンクラップスリーブ（shrink wrap sleeve）、または部材の相互の軽い溶接または結合である。
【０００７】
この濾過ヘッドは、プラスチックまたはステンレス鋼の漏斗用に開発されており、材料の物理的特性と濾過中の液体漏れのリスクがあるため、段ボール製の漏斗には適していない。
【０００８】
ＥＰ１１２７６０７Ａ１は、別の使い捨て膜フィルターシステムと濾過ヘッドを開示している。このシステムは、膜フィルターを取り付けることができる樹脂材料から一体的に形成された実質的に皿型のフィルターホルダーと、ホルダーに固定されて不可分に固定されたカップ形状の紙漏斗を含む。ホルダーには、膜フィルターを受け入れるためのフィルター受容セクションがある。排水口または排水管はまた、膜フィルターを支持する多孔質材料を受け入れる受容セクションに形成された窪みと連通するホルダーの一体部分である。
【０００９】
動作中、排水管は真空ポンプに接続され、真空ポンプは多孔質材料を介して膜フィルターに吸引力を適用する。ホルダーの周辺部分は、シリコーンなどの樹脂シーラー材料で充填されたリング溝を規定する内壁および外壁を有する二重壁構造を有する。紙漏斗は、下に延伸して下部周辺フランジを提供する紙カップである。下部周辺フランジは、ホルダーの二重壁構造の溝に挿入され、溝に充填された硬化シリコーンシーラーによってそこに固定される。したがって、紙漏斗は一体型の使い捨てフィルターユニットでホルダーに固定される。
【００１０】
ＥＰ１１２７６０７Ａ１に開示されている別の代替案では、ホルダーには、ホルダーの漏斗用マウントに配置するように適合された下部を有し、内壁と外壁は、それぞれ下から上向きの溝を挟んで立っている、シリコーンゴムの一体製品として形成されたシールリングが取り付けられている。溝は、紙漏斗の下部周辺フランジの直径に実質的に等しい直径を提供し、紙漏斗の外周フランジを溝に入れたシールリングをホルダーの漏斗マウントに取り付けると、外壁がホルダーの外周壁と弾性的に係合する。この実施形態においても、ホルダーおよび漏斗は、濾過後に廃棄される。したがって、どちらの方法でもかなりの量の廃棄物が発生する。
【発明の概要】
【発明が解決しようとする課題】
【００１１】
本発明の目的は、バイオバーデンおよび無菌試験中に発生する生態学的影響および廃棄物の量を低減することができる、フィルターシステム用の濾過ヘッドおよびかかる濾過ヘッドと組み合わせて使用するための漏斗を提供することにある。
【課題を解決するための手段】
【００１２】
問題を解決するために、本発明は、請求項１によって定義されるようなフィルターシステム用の濾過ヘッド、および請求項１１によって定義されるような濾過ヘッドと組み合わせて使用するための漏斗を提供する。好ましい実施形態は、それぞれの従属請求項に定義される。
【００１３】
したがって、本発明は、フィルターシステム用の濾過ヘッドであって、ベースであって、取り外し可能なフィルター要素用のフィルター支持体、および膜支持体上に配置されるフィルター要素の片側から、フィルター要素を通過して、ベースの排水口に至る流路を含む、前記ベースと、漏斗をベースに取り外し可能に取り付けて、フィルター要素の片側にサンプル流体リザーバを形成するためのホルダーデバイスとを含み、ホルダーデバイスは、漏斗の下端を取り囲む下部周辺フランジの周りに延伸するように構成されたリング形状要素を含み、漏斗の下部周辺フランジの半径方向外向きに突出する部分に選択的にバイアス力を加えて、漏斗をベースに押し付ける、前記フィルターシステム用の濾過ヘッドを提供する。
【００１４】
本発明の濾過ヘッドは、漏斗の下端を取り囲む下部周辺フランジと係合するリング形状要素を含むホルダーデバイスを備えたその構造により、漏斗とベースの間の液体漏れのリスクなしに段ボール製の漏斗の使用を可能にする。段ボール製の漏斗を使用する可能性により、段ボール製の漏斗は少量のエネルギーで製造でき、紙の種類によってはつぶせたり、燃やせたり、分解したりする可能性があるので、バイオバーデンおよび無菌試験のための廃棄物の量が大幅に削減され、従って、環境への影響を軽減する。
【００１５】
本発明によるフィルターシステム用の濾過ヘッドと組み合わせて使用するための漏斗であって、漏斗は、開いた上部および開いた下部を備えたカップまたはシリンダーの形状であり、漏斗は、漏斗の下端を取り囲み、半径方向外向きに突出する部分を有する下部周辺フランジを有する、前記漏斗を提供する。
【００１６】
好ましくは、ベースは、膜支持体の外周を取り囲む接触面を有し、漏斗の下部周辺フランジとの流体密接触のためにベースの接触面に押し付けられる。
【００１７】
好ましくは、ホルダーデバイスのリング形状要素は、漏斗の下部周辺フランジの半径方向外向きに突出する部分と、任意選択で、漏斗の外周壁の隣接部分と、選択的に係合するように構成される。
【００１８】
好ましくは、リング形状要素は、漏斗の外周壁の周りに配置されるように構成されたリング、好ましくは閉リングである。
【００１９】
好ましくは、リング形状要素は、漏斗の外周壁の周りに配置され、互いに機械的に連結されるように構成された複数のリングセグメントを含む。
【００２０】
好ましくは、少なくとも２つのリングセグメントが、ベース上の離間した位置からリングセグメントを動かすように構成された平行四辺形リンク機構（parallelogram mechanism）によって、ベースに機械的に連結されており、リングセグメントと、リングセグメントが下部周辺フランジの周りに延伸する閉鎖位置との間に漏斗を配置することを可能にし、周辺フランジにバイアス力を加えて、フランジをベースに押し付ける。
【００２１】
好ましくは、少なくとも２つのリングセグメントは互いに機械的に連結されており、ベース上の離間した位置と閉鎖位置との間の１回の操作移動によって移動するように構成され、周辺フランジにバイアス力を加えて、フランジをベースに押し付ける。
【００２２】
好ましくは、ホルダーデバイスは、リング形状要素とベースとの間に係合機構を備え、漏斗の下部周辺フランジの半径方向外向きに突出する部分上にバイアス力を選択的に加えるためのウェッジ（wedge）を利用する。
【００２３】
好ましくは、係合機構が、リング形状要素およびベースのいずれか１つに少なくとも１つの突起を含み、リング形状要素およびベースの他の１つに突起のための少なくとも１つの嵌合レセプタクル（receptacle）を含み、２つの相対的な回転の際に段階的に係合するように配置されている。
【００２４】
好ましくは、突起またはレセプタクルは、レバーによってベース上で枢動可能に支持されている。
【００２５】
好ましくは、漏斗は、主に段ボールまたは紙から形成され、任意選択で、複合構造において他の使い捨て材料および／またはコーティングと組み合わせて形成される。
【００２６】
好ましくは、漏斗の下端を取り囲む下部周辺フランジが、好ましくは弾性を有する膨らみ（bulge）を含む。
【００２７】
本発明は、添付の図面を参照することにより、様々な実施形態の形態で説明される。
【図面の簡単な説明】
【００２８】
【図１Ａ−Ｄ】図１Ａ〜Ｄは、濾過ヘッドの第１の実施形態と、膜および漏斗をベースに取り付けるための一連のステップを示す。
【図２Ａ−Ｄ】図２Ａ〜Ｄは、濾過ヘッドの第２の実施形態と、膜および漏斗をベースに取り付けるための一連のステップを示す。
【図３Ａ−Ｄ】図３Ａ〜Ｄは、濾過ヘッドの第３の実施形態と、膜および漏斗をベースに取り付けるための一連のステップを示す。
【図４Ａ−Ｃ】図４Ａ〜Ｃは、濾過ヘッドの第４の実施形態と、膜および漏斗をベースに取り付けるための一連のステップを示す。
【図４Ｄ−Ｅ】図４Ｄ、４Ｅは、濾過ヘッドの第４の実施形態と、膜および漏斗をベースに取り付けるための一連のステップを示す。
【００２９】
本発明によるフィルターシステム用の濾過ヘッドは、取り外し可能なフィルター要素をサポートし、濾過される所望の量のサンプル流体を保持するためのリザーバを規定する漏斗を提供し、流路の下流側に減圧（真空）を加えると、漏斗からフィルター要素を通って下流の排水ポートまで流路を通ってサンプル流体を導くことが考慮されている基本的な機能に関しては、ＷＯ２０１１／０２８７０４Ａ２およびＥＰ１２２７６０７Ａ１に開示されている濾過ヘッドと同様である。
【００３０】
図１Ａ〜Ｄに示される例示的な第１の実施形態の形態の濾過ヘッド１は、ベース２であって、取り外し可能なフィルター要素４用のフィルター支持体３、およびフィルター支持体３上に配置されるフィルター要素４の片側から、フィルター要素４を通過して、ベース２の排水口５に至る流路を含む、前記ベースを含む。濾過ヘッド１は、漏斗７をベース２に取り外し可能に取り付けて、フィルター要素４の片側にサンプル流体リザーバを形成するためのホルダーデバイス６をさらに含む。
【００３１】
ホルダーデバイス６は、漏斗７の下端を取り囲む下部周辺フランジ７ａの周りに延伸するように構成されたリング形状要素８を含み、漏斗７の下部周辺フランジ７ａの半径方向外向きに突出する部分７ｂに選択的にバイアス力を加えて、漏斗７、またはより正確にはそのフランジ７aをベース２に押し付けるように構成されている。
【００３２】
ベース２は、フィルター支持体３の外周を取り囲む平坦な接触面２ａを有し、これがベースの接触面２ａに押し付けられたときに、漏斗７の下部周辺フランジ７ａと流体密接触する。接触面２ａは、（示されているように）平坦であり得るか、または例えば丸みを帯び、漏斗７のフランジ７ａの輪郭に適合されたプロファイルを有し得る。
【００３３】
フィルター支持体３のフィルター支持面は、平面であり得るか、または溝３ａおよび／またはフィルター要素を支持し、フィルター要素を通過した流体を排水口５に向けるように配置された多孔質材料を備え得る。環状膜支持面は、支持面の表面から上方に延伸し、フィルター要素を取り囲み配置するのに役立つ複数の半径方向突起によってさらに取り囲まれ得る。
【００３４】
フィルター要素は、濾過される流体と適合性があり、流体から目的の微生物を除去することができる少なくとも１つの濾材を含み得る。濾材は、微孔性膜のような膜または様々な材料のハイブリッドフィルター要素、または濾紙などの任意の所望のタイプのものであり得る。
【００３５】
微生物学的研究のための様々な濾材が市販されており、そのような濾材はいずれも、本発明をフィルター要素として使用することができる。濾材は、サイズに応じて、吸収、および／または親和性結合によってといった、任意の所望の方法で微生物を捕捉することができる。通常、上記の濾過ヘッドを使用したバイオバーデンや無菌試験などの微生物学的研究で使用する濾材は、平坦な膜ディスクである。
【００３６】
本発明の濾過ヘッドと組み合わせて使用するための漏斗７は、上部が開いて下部が開いたカップまたはシリンダーの形状であり、漏斗７は、漏斗の下端を取り囲み、半径方向外向きに突出する部分７ｂを有する下部周辺フランジ７ａを有する。かかる漏斗は、例えば、逆さまにされ、下部が省略された、一般的に知られている単純な紙カップに類似することができる。
【００３７】
漏斗７は、主に段ボールまたは紙から形成され、任意選択で、複合構造における他の使い捨て材料および／または適切なコーティングと組み合わせて形成される。シリンダーの形状は、直線、または必要に応じて、下部または上部で外側に向かって先細になる円錐形にすることができる。漏斗７の下端を取り囲む下部周辺フランジ７ａは、好ましくは、接触面２ａに対する流体密性を改善することができる特定の弾性を有することができる丸い膨らみを含み、バイアス力（後述）のわずかに不均一な適用を補償して、流体密性を実現する。
【００３８】
作動中の漏斗７の下部周辺フランジ７ａの周りに延伸するホルダーデバイス６のリング形状要素８は、漏斗を下部の変形およびつぶれに対して支持し、フランジ７ａの周辺にバイアス力を均等に分散させるために、漏斗７の下部周辺フランジ７ａの半径方向外向きに突出する部分７ｂ、および好ましくは漏斗７の外周壁７ｃの隣接部分と選択的に係合するように構成される。
【００３９】
図１Ａ〜Ｄおよび２Ａ〜Ｄの実施形態では、リング形状要素８は、漏斗の外周壁７ｃの周りに配置されるように構成されたリング、好ましくは閉リングである。リングの内径は、少なくとも下部周辺フランジ７ａに隣接する部分において、漏斗の壁とのタイトフィットを提供するための寸法である。
【００４０】
しかしながら、リングは、特定の弾性を提供するためにスロットに入れることができ、または、例えばスナップフィット接続によって、分離し、また、一緒に接続することができる２以上のリングセグメントから形成することができ、漏斗の周りに完全な剛性リングを形成し、漏斗の周辺周りの配置を容易にする。
【００４１】
濾過ヘッド１のホルダーデバイス６はさらに、リング形状要素８とベース２との間に、漏斗７の下部周辺フランジ７ａの半径方向外向きに突出する部分７ｂにバイアス力を選択的に適用するためのウェッジ効果（くさび効果）を利用する係合機構を有する。
【００４２】
図１Ａ〜Ｄの実施形態では、係合機構は、外周の対向位置にあるリング形状要素８上の一対の半径方向突起１２（ただし、少なくとも１つで十分であり、３つ以上を提供することもできる）、および２つの相対的な回転時に段階的に係合するように配置される、ベース２上の突起１２のための一対の嵌合レセプタクル１３を含み、図１Ａ〜Ｄでは、リング形状要素８は、ベース２に対して回転される。ベースに向かって圧力移動を引き起こす段階的な係合は、レセプタクル１３および／または突起１２がそれぞれ、段階的な係合時にウェッジ効果を生み出す、面取りまたは傾斜した相互接触面１０、１１を有することで達成される。
【００４３】
図２Ａ〜Ｄの実施形態では、突起１２は、リング形状要素８の外周上の対向位置に突出する一対の半径方向ピンの形態であり、レセプタクル１３は、一対のヒンジ１４でベース２上で枢動可能に支持されているレバー１８上に形成されている。ピン１２は、リング形状要素８の回転を防止し、リング形状要素８の動きをベースに向けてガイドするために、ベース上の一対の窪み１９に受け入れられる。
【００４４】
増加するバイアス力を生み出すためのウェッジ効果は、ピン１２と係合するレセプタクル１３の上側の面取りまたは傾斜面１０によって達成される。傾斜面１０の後端には、突起またはピン１２と係合して、レバーの望ましくない不注意な開放のリスクを低減する特定のスナップフィット接続を作成することができるロッキング窪み２０が形成される。別の方法では、ヒンジを配置して、レバー１８の枢動運動の特定の偏心を作り出し、ピン１２に増加したバイアスを生じさせて、ピン１２をベース２に向かって下向きに押すことができる。
【００４５】
図１Ａ〜Ｄおよび２Ａ〜Ｄの実施形態では、突起およびレセプタクルの配置は、ベース要素とリング形状要素との間で交換することができる。
図３Ａ〜Ｄおよび４Ａ〜Ｅの実施形態では、リング形状要素８は、漏斗７の外周壁７ｃの周りに配置されるように構成された複数のリングセグメント８ａを備える。
【００４６】
両方の実施形態において、リングセグメント８ａは、リングセグメント８ａを、リングセグメント８ａの間に漏斗７を配置できるベース２上の離間した位置から、閉鎖位置へと移動させるように構成された平行四辺形リンク機構９によってベース２に機械的に連結され、該閉鎖位置においては、リングセグメント８ａは互いに接近し、漏斗７の下部周辺フランジ７ａの周りに延伸し、同時に、平行四辺形リンク機構９によって生じるわずかな下向きの動きのために、周辺フランジ７ａにバイアス力を加えて、フランジをベース２の接触面２ａに押し付ける。
【００４７】
図３Ａ〜Ｄの実施形態では、リングセグメント８ａは、レバー機構１５によって互いに機械的に連結されており、したがって、ベース上の離間した位置との間の一回の操作移動によって同時にかつ同期的に移動し、閉鎖位置に置き、周辺フランジにバイアス力を加えてフランジをベースに押し付けるように構成される。
この実施形態は、レバー機構１５がモーター、例えば可逆モーター、または油圧または空気圧シリンダーのような別の外部遠隔作動可能駆動機構と直接または間接的に協働してセグメントを移動およびロックするように変更することができる。
【００４８】
図４Ａ〜Ｅの実施形態では、リングセグメント８ａは、少なくとも漏斗の周壁に向かう動きの最初の部分では、互いに機械的に連結されておらず、したがって、独立して動かされる。リングセグメント８ａが互いに十分に接近すると、ベース２に枢動可能に取り付けられたレバー１８が、レバー１８上のレセプタクル１３がリングセグメント８ａ上の一対の突起１２と係合するまで回転される。
【００４９】
レセプタクル１３は、図１および２の実施形態に関連して上で説明したように、面取りされた、湾曲した、または傾斜した表面１０を備えており、突起１２とのウェッジ効果を生み出し、リングセグメントを段階的かつ同期的に移動させて、残りの接近運動を互いに向かって、およびベース上の接触面２ａに向かって移動させる。図３Ａ〜Ｄの実施形態におけるレバー機構１５と同様に、レバー１８はまた、濾過プロセス中にリングセグメント８ａを所定の位置に固定および安全に保持して、リングセグメントの不注意な開放を回避するのに役立つ。
【００５０】
バイオバーデンまたは無菌試験のための本発明の濾過ヘッドの使用は、以下の典型的なステップを含む：
−濾過システムのマニホールドに濾過ヘッドを取り付ける。
−フィルター要素を濾過ヘッドに配置する。
−濾過ヘッドに（段ボール）漏斗を置く。
−ホルダーデバイスを使用して、（段ボール）漏斗を濾過ヘッドに固定する。
−サンプル液を（段ボール）漏斗に注ぎ、濾過プロセスを開始する。
−濾過後、ホルダーデバイスを開き、漏斗を取り外す。
−膜フィルター要素を寒天プレートに置き、インキュベートする。
−段ボールの漏斗を圧縮し、ごみ箱に入れる。
【図１Ａ−Ｄ】
2021520292.tif 000003
【図２Ａ−Ｄ】
2021520292.tif 000004
【図３Ａ−Ｄ】
2021520292.tif 000005
【図４Ａ−Ｃ】
2021520292.tif 000006
【図４Ｄ−Ｅ】
2021520292.tif 000007
【国際調査報告】
2021520292.tif 000008
2021520292.tif 000009
2021520292.tif 000010
2021520292.tif 000011